(57)【要約】【課題】納骨の際に骨壺を容易に納めることができ、しかも、参る人が遺骨と対面するように礼拝するときに、目的の骨壺を前に出しやすく、並べ替えも容易となる納骨堂における納骨棚を提供する。【解決手段】唐戸石の中をくり抜いて下の根太石と上の笠石とともに納骨室が構成され、唐戸石の前面に納骨扉により開閉される納骨口を有する納骨堂において、納骨室に設置される台の上に、骨壺を載せる可動棚板を前後スライド操作可能に、又は縦軸を中心に回転操作可能に設けた。【効果】納骨の際にスライド式では可動棚板を手前に引き、回転式では回すことにより、その可動棚板の上に骨壺を容易に納めることができ、しかも、参る人が遺骨と対面するように礼拝するときに、同じようにして目的の骨壺を前に出しやすいため、納骨の際ばかりでなく、その後々にも好都合である。【選択図】　　図１
2004143840.tif 000002
【特許請求の範囲】
【請求項１】
唐戸石の中をくり抜いて下の根太石と上の笠石とともに納骨室が構成され、唐戸石の前面に納骨扉により開閉される納骨口を有する納骨堂において、納骨室に設置される台の上に、骨壺を載せる可動棚板を前後スライド操作可能に、又は縦軸を中心に回転操作可能に設けたことを特徴とする納骨堂における納骨棚。
【請求項２】
前記可動棚板を支持する台が、左右側板に下棚板を連結することにより脚立状の前面開放に組み立てられ、下棚板にも骨壺を置いて可動棚板を操作できるように、下棚板と可動棚板との間に空間を設けたことを特徴とする請求項１又は２記載の納骨堂における納骨棚。
【発明の詳細な説明】
【０００１】
【発明の属する技術分野】
この発明は、納骨室を有する石積墓標としての墓の納骨堂における納骨棚に関する。
【０００２】
【従来の技術】
石積墓標としての墓は、根太石、唐戸石、笠石、上台石、棹石等を順次積み重ねて組み立てられ、唐戸石が中をくり抜かれて納骨室となっており、その前面に納骨口が設けられ、そこに納骨扉が嵌められているので、納骨の際にはその扉を開いて、納骨口から手を差し入れながら納骨室に骨壺が納められる。骨壺は、一般的に納骨室の地面に置かていたが、最近では、遺骨を湿気から護るためや、礼拝位置とするために、納骨棚を置いてその上に載せて納骨することが多くなっている。
【０００３】
従来、納骨堂における納骨棚は、普通にはそれぞれ石材からなる左右側板の上端に棚板を置いて連結し脚立状に組み立てたもので、棚板の上に比較的身近な人の骨壺を置き、骨壺が多くてそれでは面積に不足するときには、地面に遠い人の骨壺を置いていた。なお、納骨室の下は根太石が同じ面積でくり抜かれて地面の場合が多かったが、最近では、根太石と一体の石面にすることが好まれる傾向にある。
【０００４】
【発明が解決しようとする課題】
納骨の際には納骨堂の扉を開き、納骨室に設置されている納骨棚の上に骨壺を置くことになるが、納骨棚が奥に有るにもかかわらず納骨口が狭く身体が入りにくく、しかもその時に着用している喪服が支えるために、骨壺を所定の箇所に納めることに非常に困難が伴う。そのため、道具としての手を使って奥へ骨壺を入れることもあるが、これでも困難を伴うことはもちろん、誤って骨壺を落とすおそれがあり、そうなると、故人に対して礼を失することなり、骨壺が壊れて始末が厄介ともなる。
【０００５】
また、墓参りにおいて普通には納骨扉を開くことはないが、特に故人を忍びたいときとか、特に故人と関係が深かった人が希望するときには、納骨扉を開いて骨壺を目前にし、故人と対面するように礼拝をすることがある。しかし、その際に、目的の骨壺が他の骨壺の後ろに置かれているときには、それを前に入れ換える必要があるが、このような並べ替えの時も、同じように、非常に困難を伴うという問題があった。
【０００６】
この発明は、上記のような実情に鑑みて、納骨の際に骨壺を容易に納めることができ、しかも、参る人が遺骨と対面するように礼拝するときに、目的の骨壺を前に出しやすく、並べ替えも容易となる納骨堂における納骨棚を提供することを目的とした。
【０００７】
【課題を解決するための手段】
この発明は、上記のような実情に鑑みて、唐戸石の中をくり抜いて下の根太石と上の笠石とともに納骨室が構成され、唐戸石の前面に納骨扉により開閉される納骨口を有する納骨堂において、納骨室に設置される台の上に、骨壺を載せる可動棚板を前後スライド操作可能に、又は縦軸を中心に回転操作可能に設けたことを特徴とする納骨堂における納骨棚を提供するものである。
【０００８】
【作用】
納骨堂における納骨棚を上記のように構成したから、骨壺を収めるときには、スライド形式の場合であると可動棚板を引き出して、回転式の場合であると回して、それぞれ必要があれば以前からの骨壺を整理して、空いた箇所を手前に作ることにより、そこに骨壺を載せることができる。また、目的とする骨壺を手前に出すときにも、同じように並べ替え操作をする。
【０００９】
【発明の実施の形態】
この発明は、納骨堂１を有する石積墓標としての墓Ｇにおいて実施され、石積墓標の場合、その型式ないし形態は無数とも言えるほど幾つもあり、例えば、東京都の芝にある外人墓地の墓を模した洋型（オルガン型ともいう）、五輪塔を搭載した五輪塔型（後記実施例参照）、上へ傾斜するピラミッド型、平面的に円形の部材で組み立てられる円筒型、位牌を模した棹石を搭載した和型、経を収めた塔の模倣石を搭載した宝塔型などであって、これらでは主に唐戸石４とその下、上の根太石３および笠石５により納骨堂１が構成される。
【００１０】
いずれの場合も、中をくり抜いた唐戸石４において納骨室２が設けられるが、納骨棚Ｔが置かれる納骨室２の下面は、根太石３が同じようにくり抜かれて地面である場合と、根太石３の石面である場合とがある。石面であっても、遺骨はいずれは土に戻すという思想から、古い遺骨を地面に戻すための穴２０を設け、それに蓋２２が常時被せられる（図１）。このようにすると、納骨室２が遺骨をカビさせないよう乾燥しやすい。
【００１１】
納骨棚Ｔの台１４の構造については、特に制限するものではなく、単に石を台形状に切削したものであっても良い。しかし、脚立状であると（請求項２）、古い遺骨を土に戻すための最終処分用穴２０が塞がれないので、その作業をするのに好都合である。つまり、古い順に可動棚板１１，２１から下棚１２に骨壺１０を下ろし、最後に穴２０に遺骨を粉砕して詰め込むことになるが、その際に、台１４を移動させる必要はない。
【００１２】
なお、納骨棚Ｔおよびその部品は、経時的に錆びたり腐朽しなく耐久性を有する石、ステンレス、プラスチック、ガラスなどの材料が使用される。
【００１３】
【発明の効果】
以上説明したように、この発明の納骨堂における納骨棚によれば、納骨の際にスライド式では可動棚板を手前に引き、回転式では回すことにより、その可動棚板の上に骨壺を容易に納めることができ、しかも、参る人が遺骨と対面するように礼拝するときに、同じようにして目的の骨壺を前に出しやすいため、納骨の際ばかりでなく、その後々にも好都合であるという優れた効果がある。
【００１４】
【実施例】
次に、この発明の実施例を図面に基づいて説明する。
【００１５】
図１および図２は、この発明の一実施例を示したもので、石積墓標としての墓Ｇの納骨堂１において、その中の納骨室２に納骨棚Ｔが内装される。
【００１６】
墓Ｇは、所謂五輪塔墓であって、下から根太石３，唐戸石４，笠石５が積まれ納骨堂１が構成され、その上に五輪塔６が載せられている。そして、唐戸石４が前面開放のコ字形であって、根太石３と唐戸石４との間に挟まれた納骨室２を有する。また、唐戸石４の前面の開放による納骨口６に観音開きの納骨扉７，７を設けてあるので、納骨扉７，７を開いて納骨棚Ｔに納骨がなされる。
【００１７】
納骨棚Ｔは、台１４の上にスライド可動棚板１１を前後移動可能に載置したもので、台１４は、左右側板９，９を下棚板１２により連結して組み立てられ、下棚板１２が前後幅の約半分の幅であって、前半において接着剤とネジ１３により側板９，９に連結され、その連結の突き合わせのために、側板９，９の上端に下棚板１２を受ける段部１５，１５を形成してある。また、側板９，９の上面には、可動棚板１１を受けるようそれぞれ４個のスライド車１７，１７，・・を配列し、各スライド車１７，１７，・・が穴１９に納まって支持される。
【００１８】
可動棚板１１には、左右にそれぞれ側板９，９の段部１５，１５に係合するガイドピン２１，２１が垂設されているので、可動棚板１１を手前に引くとスライド車１７，１７に支持されながら滑り出すことができる。したがって、可動棚板１１を引くときには、次の実施例とは違って、下棚板１２には骨壺を載せておくことはできない。
【００１９】
図３は、下棚板１２にも骨壺を載せた状態で可動棚板１１を引くことができるように、下棚板１２は側板９，９にその上端よりも相当の段落を設けて低く連結したもので、その連結にはＬ字形の連結金具２３をビス止めして使用される（図７参照）。
【００２０】
図４および図５は、納骨棚Ｔが回転式の一実施例を示したもので、その納骨棚Ｔは、台１４の上に回転可動棚板２１が縦軸２５を中心に回転するように支持され、台１４は、左右側板９，９の上に下棚板１２を置いてネジ１３で止めて構成される。また、可動棚板２１は、回す時に手を掛けやすく八角形に形成される。
【００２１】
可動棚板２２の支持については、下棚板１２との間にスラストベアリング２７を介在させたもので、これについては、縦軸２５の上下両端に支持盤２９，２９を回転可能に嵌着し、その間にベアリング保持器３１が介在される。この場合は、下棚板１２と回転可動棚板２１との間の落差が小さいので、その可動棚板２１を回転するときには下棚板１２に骨壺を載せておくことはできない。
【００２２】
図６および図７は、回転可動棚板２１を縦軸２５により高く支持して、下棚板１２にも常時骨壺を載せておくことができるようにしたもので、縦軸２５は、下棚板１２に立設される筒形の固定支軸２５ａと、回転可動棚板２１に垂下されて支軸２５ａに嵌まる回転軸２５ｂからなり、下棚板１２に支軸２５ａの固定基板３３が、可動棚板２１に回転軸２５ｂの固定基板３４がそれぞれビス止めされる。
【図面の簡単な説明】
【図１】この発明を実施した一例を示す一部切欠した墓の斜視図である。
【図２】同実施例によるスライド式納骨棚を一部部品を分離して示す斜視図である。
【図３】他の実施例を示すスライド式納骨棚の斜視図である。
【図４】さらに他の実施例を示す回転式納骨棚の斜視図である。
【図５】同納骨棚の拡大正面図である。
【図６】さらに他の実施例を示す回転式納骨棚の斜視図である。
【図７】同納骨棚の拡大正面図である。
【符号の説明】
Ｇ　墓
１　納骨堂
２　納骨室
３　根太石
４　唐戸石
５　笠石
６　納骨口
７　納骨扉
８　納骨口
９　側板
１０　骨壺
１２　下棚板
１１　スライド可動棚板
１４　台
２１　回転可動棚板
２５　縦軸
【図１】
2004143840.tif 000003
【図２】
2004143840.tif 000004
【図３】
2004143840.tif 000005
【図４】
2004143840.tif 000006
【図５】
2004143840.tif 000007
【図６】
2004143840.tif 000008
【図７】
2004143840.tif 000009